(57)【要約】【課題】  利便性を向上することができる画像形成装置を提供する。【解決手段】  原稿から画像を読み取る画像読取部と、画像読取部に対向して配置されて画像読取部による画像の読み取り時に画像読取部とともに原稿を挟む白天板と、白天板より色の濃度が濃く白天板と交換可能な黒天板とを備えるＭＦＰは、原稿の一面側から画像読取部によって読み取られた画像において特定の濃度以上の画素が存在する場合に（Ｓ１６７でＹＥＳまたはＳ１７２でＹＥＳ）、原稿の他面側から画像読取部によって読み取られた画像に裏写りが発生すると判定し（Ｓ１７６でＹＥＳ）、白天板が画像読取部に対向して配置されている場合に裏写りが発生すると判定したとき黒天板への交換の提案を通知することを特徴とする。【選択図】  図１１
2016034082.tif 000002
【特許請求の範囲】
【請求項１】
原稿から画像を読み取る画像読取部と、
前記画像読取部に対向して配置されて前記画像読取部による画像の読み取り時に前記画像読取部とともに原稿を挟む第１部材と、
前記第１部材より色の濃度が濃く前記第１部材と交換可能な第２部材と、
前記画像読取部によって読み取られた画像に裏写りが発生するか否かを判定する裏写り発生判定手段と、
前記第１部材が前記画像読取部に対向して配置されている場合に、裏写りが発生すると前記裏写り発生判定手段によって判定されたとき、前記第２部材への交換の提案を通知する第２部材交換通知手段とを備え、
前記裏写り発生判定手段は、原稿の一面側から前記画像読取部によって読み取られた画像において特定の濃度以上の画素が存在する場合に、原稿の他面側から前記画像読取部によって読み取られた画像に裏写りが発生すると判定することを特徴とする画像形成装置。
【請求項２】
前記裏写り発生判定手段は、原稿の一面側から前記画像読取部によって読み取られた画像において前記特定の濃度以上の画素が特定の数以上存在する場合に、原稿の他面側から前記画像読取部によって読み取られた画像に裏写りが発生すると判定することを特徴とする請求項１に記載の画像形成装置。
【請求項３】
前記特定の数の指定を受け付ける画素数指定受付手段を備えることを特徴とする請求項２に記載の画像形成装置。
【請求項４】
前記特定の濃度の指定を受け付ける濃度指定受付手段を備えることを特徴とする請求項１から請求項３までの何れかに記載の画像形成装置。
【請求項５】
前記第２部材への交換の提案が前記第２部材交換通知手段によって通知された後に前記画像読取部によって画像を再び読み取らせる再読み取り手段を備え、
前記再読み取り手段は、前記画像読取部によって画像を再び読み取らせる前に、前記画像読取部によって前回読み取られた画像を削除することを特徴とする請求項１から請求項４までの何れかに記載の画像形成装置。
【請求項６】
裏写りが発生する可能性が高い原稿であることの指定を受け付ける裏写り高発生原稿指定受付手段を備え、
前記第２部材交換通知手段は、裏写りが発生する可能性が高い原稿であることの指定が前記裏写り高発生原稿指定受付手段によって受け付けられている場合に、前記第２部材への交換の提案を通知することを特徴とする請求項１から請求項５までの何れかに記載の画像形成装置。
【請求項７】
裏写りが発生する可能性が低い原稿であることの指定を受け付ける裏写り低発生原稿指定受付手段と、
前記第２部材が前記画像読取部に対向して配置されている場合に、裏写りが発生する可能性が低い原稿であることの指定が前記裏写り低発生原稿指定受付手段によって受け付けられているとき、前記第１部材への交換の提案を通知する第１部材交換通知手段とを備え、
前記裏写り発生判定手段は、裏写りが発生する可能性が低い原稿であることの指定が前記裏写り低発生原稿指定受付手段によって受け付けられている場合に、前記画像読取部によって読み取られた画像に裏写りが発生するか否かを判定しないことを特徴とする請求項１から請求項６までに記載の画像形成装置。
【発明の詳細な説明】
【技術分野】
【０００１】
本発明は、原稿から画像を読み取る画像形成装置に関する。
【背景技術】
【０００２】
従来、原稿から画像を読み取る画像形成装置として、原稿から画像を読み取る画像読取部と、画像読取部に対向して配置されて画像読取部とともに原稿を挟む白色部材と、白色部材より色の濃度が濃く白色部材と交換可能な黒色部材とを備える画像形成装置が知られている（例えば、特許文献１参照。）。従来の画像形成装置は、原稿の背景色が白色である場合に、白色部材が画像読取部に対向して配置されることによって、画像読取部による原稿の読み取りにおいて原稿から白色を高精度に読み取ることができる。また、従来の画像形成装置は、原稿において画像読取部によって読み取られる面とは反対側の面が例えば印刷や手書きが施されているなどして白色ではない場合に、黒色部材が画像読取部に対向して配置されることによって、画像読取部によって読み取られた画像に裏写りが発生することを抑えることができる。
【先行技術文献】
【特許文献】
【０００３】
【特許文献１】特開２０１２−１９１６７４号公報
【発明の概要】
【発明が解決しようとする課題】
【０００４】
しかしながら、従来の画像形成装置おいては、画像読取部によって読み取られる画像に裏写りが発生するか否かを利用者が原稿を見て判断しなければならないという問題がある。
【０００５】
そこで、本発明は、利便性を向上することができる画像形成装置を提供することを目的とする。
【課題を解決するための手段】
【０００６】
本発明の画像形成装置は、原稿から画像を読み取る画像読取部と、前記画像読取部に対向して配置されて前記画像読取部による画像の読み取り時に前記画像読取部とともに原稿を挟む第１部材と、前記第１部材より色の濃度が濃く前記第１部材と交換可能な第２部材と、前記画像読取部によって読み取られた画像に裏写りが発生するか否かを判定する裏写り発生判定手段と、前記第１部材が前記画像読取部に対向して配置されている場合に、裏写りが発生すると前記裏写り発生判定手段によって判定されたとき、前記第２部材への交換の提案を通知する第２部材交換通知手段とを備え、前記裏写り発生判定手段は、原稿の一面側から前記画像読取部によって読み取られた画像において特定の濃度以上の画素が存在する場合に、原稿の他面側から前記画像読取部によって読み取られた画像に裏写りが発生すると判定することを特徴とする。
【０００７】
この構成により、本発明の画像形成装置は、原稿の一面側から画像読取部によって読み取られた画像において特定の濃度以上の画素が存在する場合に、原稿の他面側から画像読取部によって読み取られた画像に裏写りが発生すると判定し、第１部材が画像読取部に対向して配置されている場合に裏写りが発生すると判定したとき第２部材への交換の提案を通知するので、画像読取部によって読み取られる画像に裏写りが発生するか否かを利用者が原稿を見て判断する必要が無く、利便性を向上することができる。
【０００８】
また、本発明の画像形成装置において、前記裏写り発生判定手段は、原稿の一面側から前記画像読取部によって読み取られた画像において前記特定の濃度以上の画素が特定の数以上存在する場合に、原稿の他面側から前記画像読取部によって読み取られた画像に裏写りが発生すると判定しても良い。
【０００９】
この構成により、本発明の画像形成装置は、原稿の一面側から画像読取部によって読み取られた画像において特定の濃度以上の画素が存在する場合であっても、特定の濃度以上の画素が特定の数未満であるときに、原稿の他面側から画像読取部によって読み取られた画像に裏写りが発生すると判定しないので、利用者にとってあまり気にならない程度の少しの裏写りを問題とせず、利便性を向上することができる。
【００１０】
また、本発明の画像形成装置は、前記特定の数の指定を受け付ける画素数指定受付手段を備えても良い。
【００１１】
この構成により、本発明の画像形成装置は、画像読取部によって読み取られた画像に裏写りが発生するか否かの判定基準が利用者の好みに合わせて調整されることができる。
【００１２】
また、本発明の画像形成装置は、前記特定の濃度の指定を受け付ける濃度指定受付手段を備えても良い。
【００１３】
この構成により、本発明の画像形成装置は、画像読取部によって読み取られた画像に裏写りが発生するか否かの判定基準が利用者の好みに合わせて調整されることができる。
【００１４】
また、本発明の画像形成装置は、前記第２部材への交換の提案が前記第２部材交換通知手段によって通知された後に前記画像読取部によって画像を再び読み取らせる再読み取り手段を備え、前記再読み取り手段は、前記画像読取部によって画像を再び読み取らせる前に、前記画像読取部によって前回読み取られた画像を削除しても良い。
【００１５】
この構成により、本発明の画像形成装置は、第２部材に交換されて再び画像を読み取る前に、前回読み取った画像を削除するので、原稿の読み取りに必要な記憶容量を低減することができる。
【００１６】
また、本発明の画像形成装置は、裏写りが発生する可能性が高い原稿であることの指定を受け付ける裏写り高発生原稿指定受付手段を備え、前記第２部材交換通知手段は、裏写りが発生する可能性が高い原稿であることの指定が前記裏写り高発生原稿指定受付手段によって受け付けられている場合に、前記第２部材への交換の提案を通知しても良い。
【００１７】
この構成により、本発明の画像形成装置は、第１部材が画像読取部に対向して配置されている場合に、裏写りが発生する可能性が高い原稿であることの指定が受け付けられているとき、第２部材への交換の提案を通知するので、利便性を向上することができる。
【００１８】
また、本発明の画像形成装置は、裏写りが発生する可能性が低い原稿であることの指定を受け付ける裏写り低発生原稿指定受付手段と、前記第２部材が前記画像読取部に対向して配置されている場合に、裏写りが発生する可能性が低い原稿であることの指定が前記裏写り低発生原稿指定受付手段によって受け付けられているとき、前記第１部材への交換の提案を通知する第１部材交換通知手段とを備え、前記裏写り発生判定手段は、裏写りが発生する可能性が低い原稿であることの指定が前記裏写り低発生原稿指定受付手段によって受け付けられている場合に、前記画像読取部によって読み取られた画像に裏写りが発生するか否かを判定しなくても良い。
【００１９】
この構成により、本発明の画像形成装置は、裏写りが発生する可能性が低い原稿であることの指定が受け付けられている場合、第２部材が画像読取部に対向して配置されているときに第１部材への交換の提案を通知し、第１部材が画像読取部に対向して配置されているときに裏写りが発生するか否かを判定しない。したがって、本発明の画像形成装置は、利便性を向上することができる。
【発明の効果】
【００２０】
本発明の画像形成装置は、利便性を向上することができる。
【図面の簡単な説明】
【００２１】
【図１】本発明の一実施の形態に係るＭＦＰのブロック図である。
【図２】白天板が装着されている蓋が開けられている状態での図１に示すＭＦＰの外観斜視図である。
【図３】黒天板が装着されている蓋が開けられている状態での図１に示すＭＦＰの外観斜視図である。
【図４】（ａ）は、白天板が装着されている蓋が閉じられている状態での図２に示すスキャナーの一部の正面断面図である。  （ｂ）は、白天板が装着されている蓋が閉じられていて、画像読取部と白天板とによって原稿が挟まれている状態での図２に示すスキャナーの一部の正面断面図である。
【図５】裏写り判定用濃度閾値および裏写り判定用画素数閾値の指定を受け付ける場合の図１に示すＭＦＰの動作のフローチャートである。
【図６】図１に示す表示部に表示される判定基準設定画面の一例を示す図である。
【図７】原稿の種類の指定を受け付ける場合の図１に示すＭＦＰの動作のフローチャートである。
【図８】図１に示す表示部に表示される原稿モード設定画面の一例を示す図である。
【図９】原稿の両面の画像を記録媒体の両面または片面に印刷するコピーのジョブを実行する場合の図１に示すＭＦＰの動作のフローチャートである。
【図１０】図９の続きのフローチャートである。
【図１１】図９および図１０の続きのフローチャートである。
【図１２】図１１の続きのフローチャートである。
【図１３】図１に示す表示部に表示される裏紙原稿モード天板交換通知画面の一例を示す図である。
【図１４】図１に示す表示部に表示される厚紙原稿モード天板交換通知画面の一例を示す図である。
【図１５】図１に示す表示部に表示される黒天板装着済通知画面の一例を示す図である。
【図１６】図２に示す画像読取部によって読み取られる原稿の一例を示す図である。
【図１７】図１６に示す原稿が画像読取部によって読み取られた画像を示す図である。
【図１８】図１に示す表示部に表示される黒天板交換通知画面の一例を示す図である。
【発明を実施するための形態】
【００２２】
以下、本発明の一実施の形態について、図面を用いて説明する。
【００２３】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０のブロック図である。
【００２５】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１７と、ＭＦＰ１０全体を制御する制御部１８とを備えている。
【００２６】
図２は、白天板１３ｅ、１３ｆが装着されている蓋１３ａが開けられている状態でのＭＦＰ１０の外観斜視図である。
【００２７】
図２に示すように、スキャナー１３は、開閉可能な蓋１３ａと、蓋１３ａの上部に備えられているＡＤＦ（Ａｕｔｏ  Ｄｏｃｕｍｅｎｔ  Ｆｅｅｄｅｒ：自動原稿送り装置）１３ｂと、ＡＤＦ１３ｂが使用されない場合に利用者によって手動で１ページずつセットされた原稿から画像を読み取る画像読取部１３ｃと、ＡＤＦ１３ｂが使用される場合にＡＤＦ１３ｂによって自動的に搬送された原稿から画像を読み取る画像読取部１３ｄと、蓋１３ａに対して着脱可能な第１部材としての白色の天板（以下「白天板」と言う。）１３ｅ、１３ｆとを備えている。
【００２８】
図３は、黒天板１３ｇ、１３ｈが装着されている蓋１３ａが開けられている状態でのＭＦＰ１０の外観斜視図である。
【００２９】
図３に示すように、スキャナー１３は、白天板１３ｅ、１３ｆ（図２参照。）と交換可能な第２部材として、白色より色の濃度が濃い黒色の天板（以下「黒天板」と言う。）１３ｇ、１３ｈを備えている。
【００３０】
図４（ａ）は、白天板１３ｅが装着されている蓋１３ａが閉じられている状態でのスキャナー１３の一部の正面断面図である。図４（ｂ）は、白天板１３ｅが装着されている蓋１３ａが閉じられていて、画像読取部１３ｃと白天板１３ｅとによって原稿９０が挟まれている状態でのスキャナー１３の一部の正面断面図である。
【００３１】
図４（ａ）に示すように、白天板１３ｅは、画像読取部１３ｃに対向して配置されている。そして、図４（ｂ）に示すように、白天板１３ｅは、画像読取部１３ｃによる画像の読み取り時に画像読取部１３ｃとともに原稿９０を挟む。なお、画像読取部１３ｃおよび白天板１３ｅの関係について説明したが、画像読取部１３ｄ（図２参照。）と、白天板１３ｆ（図２参照。）との関係、画像読取部１３ｃと、黒天板１３ｇ（図３参照。）との関係、および、画像読取部１３ｄと、黒天板１３ｈ（図３参照。）との関係についても同様である。
【００３２】
図１に示すように、記憶部１７は、白天板１３ｅ、１３ｆ（以下、単に「白天板」と言う。）が画像読取部１３ｃ、１３ｄ（以下、単に「画像読取部」と言う。）に対向して配置されている場合に画像読取部によって読み取られた画像に対して白天板に応じた色補正処理を行うための白天板用補正テーブル１７ａと、黒天板１３ｇ、１３ｈ（以下、単に「黒天板」と言う。）が画像読取部に対向して配置されている場合に画像読取部によって読み取られた画像に対して黒天板に応じた色補正処理を行うための黒天板用補正テーブル１７ｂとを記憶している。また、記憶部１７は、画像読取部によって読み取られた画像に裏写りが発生するか否かを画素の濃度に基づいて判定する基準としての特定の濃度を示す裏写り判定用濃度閾値１７ｃと、画像読取部によって読み取られた画像に裏写りが発生するか否かを画素数に基づいて判定する基準としての特定の数を示す裏写り判定用画素数閾値１７ｄとを記憶している。
【００３３】
記憶部１７は、裏写りが発生する可能性が高い原稿として、画像読取部によって読み取られる面の裏面が印刷や手書きなどによって使用されている原稿（以下「裏紙原稿」と言う。）が使用されるか否かを示す裏紙原稿フラグ１７ｅを記憶している。また、記憶部１７は、裏写りが発生する可能性が低い原稿として、特定の厚み以上の原稿（以下「厚紙原稿」と言う。）が使用されるか否かを示す厚紙原稿フラグ１７ｆを記憶している。
【００３４】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００３５】
制御部１８は、ＲＯＭまたは記憶部１７に記憶されているプログラムを実行することによって、画像読取部によって読み取られた画像に裏写りが発生するか否かを判定する裏写り発生判定手段１８ａ、黒天板が画像読取部に対向して配置されている場合に白天板への交換の提案を通知する第１部材交換通知手段としての白天板交換通知手段１８ｂ、白天板が画像読取部に対向して配置されている場合に黒天板への交換の提案を通知する第２部材交換通知手段としての黒天板交換通知手段１８ｃ、および、黒天板への交換の提案が黒天板交換通知手段１８ｃによって通知された後に画像読取部によって画像を再び読み取らせる再読み取り手段１８ｄとして機能する。
【００３６】
また、制御部１８は、ＲＯＭまたは記憶部１７に記憶されているプログラムを実行することによって、裏写り判定用濃度閾値１７ｃの指定を受け付ける濃度指定受付手段１８ｅ、裏写り判定用画素数閾値１７ｄの指定を受け付ける画素数指定受付手段１８ｆ、裏紙原稿の指定を受け付ける裏写り高発生原稿指定受付手段としての裏紙原稿指定受付手段１８ｇ、および、厚紙原稿の指定を受け付ける裏写り低発生原稿指定受付手段としての厚紙原稿指定受付手段１８ｈとして機能する。
【００３７】
ＭＦＰ１０は、スキャナー１３によって原稿から読み取った画像をプリンター１４によって記録媒体に印刷するコピーのジョブ、スキャナー１３によって原稿から読み取った画像を記憶部１７に記憶させたりネットワーク通信部１６によって外部の装置に送信したりするスキャンのジョブ、スキャナー１３によって原稿から読み取った画像をファックス通信部１５によってファックス送信するファックスのジョブなど、スキャナー１３によって原稿から読み取った画像を処理する種々のジョブを実行可能である。
【００３８】
次に、ＭＦＰ１０の動作について説明する。
【００３９】
図５は、裏写り判定用濃度閾値１７ｃおよび裏写り判定用画素数閾値１７ｄの指定を受け付ける場合のＭＦＰ１０の動作のフローチャートである。
【００４０】
裏写り判定用濃度閾値１７ｃおよび裏写り判定用画素数閾値１７ｄの指定を受け付ける処理の開始が操作部１１を介して指示されると、制御部１８は、図５に示す動作を実行する。
【００４１】
図５に示すように、制御部１８は、裏写り判定用濃度閾値１７ｃおよび裏写り判定用画素数閾値１７ｄの指定を受け付けるための図６に示す判定基準設定画面２０を表示部１２に表示する（Ｓ１０１）。
【００４２】
図６は、表示部１２に表示される判定基準設定画面２０の一例を示す図である。
【００４３】
図６に示す判定基準設定画面２０は、裏写り判定用濃度閾値１７ｃの指定を受け付けるためのテキストボックス２１と、裏写り判定用画素数閾値１７ｄの指定を受け付けるためのテキストボックス２２と、裏写り判定用濃度閾値１７ｃおよび裏写り判定用画素数閾値１７ｄの指定の受け付けを中止するためのキャンセルボタン２３と、裏写り判定用濃度閾値１７ｃおよび裏写り判定用画素数閾値１７ｄの指定の受け付けを実行するためのＯＫボタン２４とを含む。利用者は、操作部１１を介してテキストボックス２１およびテキストボックス２２に値を入力することができる。判定基準設定画面２０は、キャンセルボタン２３またはＯＫボタン２４が押されると、表示部１２による表示が終了する。
【００４４】
図５に示すように、制御部１８は、Ｓ１０１の処理が終了すると、操作部１１を介してＯＫボタン２４が押されたか否かを判断する（Ｓ１０２）。
【００４５】
制御部１８は、ＯＫボタン２４が押されていないとＳ１０２において判断すると、操作部１１を介してキャンセルボタン２３が押されたか否かを判断する（Ｓ１０３）。
【００４６】
制御部１８は、キャンセルボタン２３が押されたとＳ１０３において判断すると、図５の処理の実行を終了する。
【００４７】
制御部１８は、キャンセルボタン２３が押されていないとＳ１０３において判断すると、Ｓ１０２の処理を実行する。
【００４８】
濃度指定受付手段１８ｅは、ＯＫボタン２４が押されたとＳ１０２において判断されると、ＯＫボタン２４が押された時点でテキストボックス２１に入力されていた値を、新たに指定された裏写り判定用濃度閾値１７ｃとして受け付けて、受け付けた値によって記憶部１７上の裏写り判定用濃度閾値１７ｃを更新する（Ｓ１０４）。例えば、ＯＫボタン２４が押された時点でテキストボックス２１に入力されていた値が図６に示す「１２８，１２８，１２８」である場合、濃度指定受付手段１８ｅは、裏写り判定用濃度閾値１７ｃを「ＲＧＢ（１２８，１２８，１２８）」として更新する。
【００４９】
画素数指定受付手段１８ｆは、Ｓ１０４の処理の後、ＯＫボタン２４が押された時点でテキストボックス２２に入力されていた値を、新たに指定された裏写り判定用画素数閾値１７ｄとして受け付けて、受け付けた値によって記憶部１７上の裏写り判定用画素数閾値１７ｄを更新する（Ｓ１０５）。例えば、ＯＫボタン２４が押された時点でテキストボックス２２に入力されていた値が図６に示す「１０００」である場合、画素数指定受付手段１８ｆは、裏写り判定用画素数閾値１７ｄを「１０００」として更新する。
【００５０】
制御部１８は、Ｓ１０５の処理の後、図５に示す動作を終了する。
【００５１】
図７は、原稿の種類の指定を受け付ける場合のＭＦＰ１０の動作のフローチャートである。
【００５２】
原稿の種類の指定を受け付ける処理の開始が操作部１１を介して指示されると、制御部１８は、図７に示す動作を実行する。
【００５３】
図７に示すように、制御部１８は、原稿の種類の指定を受け付けるための図８に示す原稿モード設定画面３０を表示部１２に表示する（Ｓ１１１）。
【００５４】
図８は、表示部１２に表示される原稿モード設定画面３０の一例を示す図である。
【００５５】
図８に示す原稿モード設定画面３０は、厚紙原稿および裏紙原稿の何れでもない通常の原稿（以下「通常原稿」と言う。）の指定を受け付けるためのラジオボタン３１と、厚紙原稿の指定を受け付けるためのラジオボタン３２と、厚紙原稿ではない裏紙原稿の指定を受け付けるためのラジオボタン３３と、原稿の種類の指定の受け付けを中止するためのキャンセルボタン３４と、原稿の種類の指定の受け付けを実行するためのＯＫボタン３５とを含む。ラジオボタン３１〜３３は、常に何れか１つが選択されている状態になる。利用者は、操作部１１を介してラジオボタン３１〜３３の何れかを選択することができる。原稿モード設定画面３０は、キャンセルボタン３４またはＯＫボタン３５が押されると、表示部１２による表示が終了する。
【００５６】
図７に示すように、制御部１８は、Ｓ１１１の処理が終了すると、操作部１１を介してＯＫボタン３５が押されたか否かを判断する（Ｓ１１２）。
【００５７】
制御部１８は、ＯＫボタン３５が押されていないとＳ１１２において判断すると、操作部１１を介してキャンセルボタン３４が押されたか否かを判断する（Ｓ１１３）。
【００５８】
制御部１８は、キャンセルボタン３４が押されたとＳ１１３において判断すると、図７の処理の実行を終了する。
【００５９】
制御部１８は、キャンセルボタン３４が押されていないとＳ１１３において判断すると、Ｓ１１２の処理を実行する。
【００６０】
制御部１８は、ＯＫボタン３５が押されたとＳ１１２において判断されると、ＯＫボタン３５が押された時点でラジオボタン３１〜３３によって選択されていた原稿の種類を判断する（Ｓ１１４）。
【００６１】
制御部１８は、通常原稿が選択されていたとＳ１１４において判断すると、裏紙原稿フラグ１７ｅおよび厚紙原稿フラグ１７ｆを倒す（Ｓ１１５）。
【００６２】
厚紙原稿指定受付手段１８ｈは、厚紙原稿が選択されていたとＳ１１４において判断されると、裏紙原稿フラグ１７ｅを倒して厚紙原稿フラグ１７ｆを立てる（Ｓ１１６）。すなわち、厚紙原稿指定受付手段１８ｈは、厚紙原稿の指定を受け付ける。
【００６３】
裏紙原稿指定受付手段１８ｇは、裏紙原稿が選択されていたとＳ１１４において判断されると、厚紙原稿フラグ１７ｆを倒して裏紙原稿フラグ１７ｅを立てる（Ｓ１１７）。すなわち、裏紙原稿指定受付手段１８ｇは、裏紙原稿の指定を受け付ける。
【００６４】
制御部１８は、Ｓ１１５、Ｓ１１６またはＳ１１７の処理が終了すると、図７の処理の実行を終了する。
【００６５】
図９は、原稿の両面の画像を記録媒体の両面または片面に印刷するコピーのジョブを実行する場合のＭＦＰ１０の動作のフローチャートである。図１０は、図９の続きのフローチャートである。図１１は、図９および図１０の続きのフローチャートである。図１２は、図１１の続きのフローチャートである。
【００６６】
原稿の両面の画像を記録媒体の両面または片面に印刷するコピーのジョブの実行の開始が操作部１１を介して指示されると、制御部１８は、図９〜図１２に示す動作を実行する。
【００６７】
なお、制御部１８は、実行を開始したコピーのジョブがＡＤＦ１３ｂを使用しないジョブである場合に、図９〜図１２に示す動作において、白天板、黒天板、画像読取部として、それぞれ、白天板１３ｅ、黒天板１３ｇ、画像読取部１３ｃを処理の対象とする。一方、制御部１８は、実行を開始したコピーのジョブがＡＤＦ１３ｂを使用するジョブである場合に、図９〜図１２に示す動作において、白天板、黒天板、画像読取部として、それぞれ、白天板１３ｆ、黒天板１３ｈ、画像読取部１３ｄを処理の対象とする。
【００６８】
図９〜図１２に示すように、制御部１８は、白天板および黒天板の何れが蓋１３ａに装着されているか判断する（Ｓ１２１）。
【００６９】
なお、制御部１８は、白天板および黒天板の何れが蓋１３ａに装着されているかを、図示していないセンサーの検知結果に基づいて判断することが可能である。例えば、制御部１８は、白天板および黒天板にそれぞれ特有の切欠きが有るなど、白天板および黒天板の形状に違いがある場合には、白天板および黒天板の形状の違いを接触式センサーや非接触式センサーによって検知することによって、白天板および黒天板の何れが蓋１３ａに装着されているかを判断することが可能である。また、制御部１８は、蓋１３ａに装着されている白天板および黒天板の色を光学式センサーで検知することによって、白天板および黒天板の何れが蓋１３ａに装着されているかを判断することも可能である。
【００７０】
黒天板交換通知手段１８ｃは、白天板が蓋１３ａに装着されているとＳ１２１において判断されると、裏紙原稿フラグ１７ｅが立っているか否かを判断する（Ｓ１２２）。
【００７１】
黒天板交換通知手段１８ｃは、裏紙原稿フラグ１７ｅが立っているとＳ１２２において判断すると、図１３に示す裏紙原稿モード天板交換通知画面４０を表示部１２に表示する（Ｓ１２３）。
【００７２】
図１３は、表示部１２に表示される裏紙原稿モード天板交換通知画面４０の一例を示す図である。
【００７３】
図１３に示す裏紙原稿モード天板交換通知画面４０は、裏紙原稿モードであることと、黒天板への交換の提案とを通知するメッセージ４１と、メッセージ４１を読んだことを確認するためのＯＫボタン４２とを含む。裏紙原稿モード天板交換通知画面４０は、ＯＫボタン４２が押されると、表示部１２による表示が終了する。
【００７４】
利用者は、裏紙原稿モード天板交換通知画面４０のメッセージ４１を読むことによって、蓋１３ａに装着されている天板を白天板から黒天板に交換することが促される。
【００７５】
図９〜図１２に示すように、制御部１８は、Ｓ１２３の処理の後、ＯＫボタン４２が押されたと判断するまで、ＯＫボタン４２が押されたか否かを判断する（Ｓ１２４）。
【００７６】
制御部１８は、ＯＫボタン４２が押されたとＳ１２４において判断すると、黒天板に交換されたと判断するまで、図示していないセンサーの検知結果に基づいて黒天板に交換されたか否かを判断する（Ｓ１２５）。
【００７７】
制御部１８は、黒天板に交換されたとＳ１２５において判断すると、色補正処理を行うための補正テーブルとして黒天板用補正テーブル１７ｂを設定する（Ｓ１２６）。
【００７８】
次いで、制御部１８は、全ての原稿の読み取りが終了するまで、原稿に対して１枚ずつ順番に、Ｓ１２８およびＳ１２９の処理を繰り返す（Ｓ１２７）。
【００７９】
すなわち、制御部１８は、Ｓ１２６において設定した黒天板用補正テーブル１７ｂを使用して原稿の表面の画像を画像読取部によって読み取った後（Ｓ１２８）、Ｓ１２６において設定した黒天板用補正テーブル１７ｂを使用して原稿の裏面の画像を画像読取部によって読み取る（Ｓ１２９）。
【００８０】
制御部１８は、全ての原稿の読み取りが終了したとＳ１２７において判断すると、全ての原稿に対してＳ１２８およびＳ１２９の処理によって読み取った画像をプリンター１４によって記録媒体に印刷して（Ｓ１３０）、図９〜図１２に示す動作を終了する。
【００８１】
制御部１８は、裏紙原稿フラグ１７ｅが立っていないとＳ１２２において判断すると、厚紙原稿フラグ１７ｆが立っているか否かを判断する（Ｓ１３１）。
【００８２】
制御部１８は、厚紙原稿フラグ１７ｆが立っているとＳ１３１において判断すると、色補正処理を行うための補正テーブルとして白天板用補正テーブル１７ａを設定する（Ｓ１３２）。
【００８３】
次いで、制御部１８は、Ｓ１３２において設定した白天板用補正テーブル１７ａを使用してＳ１２７〜Ｓ１２９の処理を実行した後、Ｓ１３０の処理を実行して、図９〜図１２に示す動作を終了する。
【００８４】
制御部１８は、黒天板が蓋１３ａに装着されているとＳ１２１において判断すると、裏紙原稿フラグ１７ｅが立っているか否かを判断する（Ｓ１４１）。
【００８５】
制御部１８は、裏紙原稿フラグ１７ｅが立っているとＳ１４１において判断すると、Ｓ１２６〜Ｓ１３０の処理を実行して、図９〜図１２に示す動作を終了する。
【００８６】
白天板交換通知手段１８ｂは、裏紙原稿フラグ１７ｅが立っていないとＳ１４１において判断されると、厚紙原稿フラグ１７ｆが立っているか否かを判断する（Ｓ１４２）。
【００８７】
白天板交換通知手段１８ｂは、厚紙原稿フラグ１７ｆが立っているとＳ１４２において判断すると、図１４に示す厚紙原稿モード天板交換通知画面５０を表示部１２に表示する（Ｓ１４３）。
【００８８】
図１４は、表示部１２に表示される厚紙原稿モード天板交換通知画面５０の一例を示す図である。
【００８９】
図１４に示す厚紙原稿モード天板交換通知画面５０は、厚紙原稿モードであることと、白天板への交換の提案とを通知するメッセージ５１と、メッセージ５１を読んだことを確認するためのＯＫボタン５２とを含む。厚紙原稿モード天板交換通知画面５０は、ＯＫボタン５２が押されると、表示部１２による表示が終了する。
【００９０】
利用者は、厚紙原稿モード天板交換通知画面５０のメッセージ５１を読むことによって、蓋１３ａに装着されている天板を黒天板から白天板に交換することが促される。
【００９１】
図９〜図１２に示すように、制御部１８は、Ｓ１４３の処理の後、ＯＫボタン５２が押されたと判断するまで、ＯＫボタン５２が押されたか否かを判断する（Ｓ１４４）。
【００９２】
制御部１８は、ＯＫボタン５２が押されたとＳ１４４において判断すると、白天板に交換されたと判断するまで、図示していないセンサーの検知結果に基づいて白天板に交換されたか否かを判断する（Ｓ１４５）。
【００９３】
制御部１８は、白天板に交換されたとＳ１４５において判断すると、Ｓ１３２およびＳ１２７〜Ｓ１３０の処理を実行して、図９〜図１２に示す動作を終了する。
【００９４】
白天板交換通知手段１８ｂは、厚紙原稿フラグ１７ｆが立っていないとＳ１４２において判断すると、図１５に示す黒天板装着済通知画面６０を表示部１２に表示する（Ｓ１４６）。
【００９５】
図１５は、表示部１２に表示される黒天板装着済通知画面６０の一例を示す図である。
【００９６】
図１５に示す黒天板装着済通知画面６０は、黒天板が装着されていることと、白天板への交換の提案とを通知するメッセージ６１と、白天板に交換することをＭＦＰ１０に伝えるためのボタン６２と、白天板に交換しないことをＭＦＰ１０に伝えるためのボタン６３とを含む。黒天板装着済通知画面６０は、ボタン６２またはボタン６３が押されると、表示部１２による表示が終了する。
【００９７】
利用者は、黒天板装着済通知画面６０のメッセージ６１を読むことによって、蓋１３ａに装着されている天板を黒天板から白天板に交換するか否かを判断することができる。例えば、黒天板が装着されている状態で画像読取部によって画像が読み取られると、黒天板用補正テーブル１７ｂを使用した色補正処理によって画像が明るくされることによって、黒天板の影響による画像の暗さが改善されるものの、画像に含まれる暗くない色も同時に明るくなって画像が全体的に白飛びしてしまう。このような白飛びを避けることを希望する利用者は、蓋１３ａに装着されている天板を黒天板から白天板に交換することを選択することができる。
【００９８】
図９〜図１２に示すように、制御部１８は、Ｓ１４６の処理の後、白天板への交換が指示されたか否かを判断する（Ｓ１４７）。ここで、制御部１８は、黒天板装着済通知画面６０においてボタン６２が押された場合、白天板への交換が指示されたと判断する。
【００９９】
制御部１８は、白天板への交換が指示されていないとＳ１４７において判断すると、白天板に交換しないことが指示されたか否かを判断する（Ｓ１４８）。ここで、制御部１８は、黒天板装着済通知画面６０においてボタン６３が押された場合、白天板に交換しないことが指示されたと判断する。
【０１００】
制御部１８は、白天板に交換しないことが指示されていないとＳ１４８において判断すると、Ｓ１４７の処理を実行する。
【０１０１】
制御部１８は、白天板に交換しないことが指示されたとＳ１４８において判断すると、Ｓ１２６〜Ｓ１３０の処理を実行して、図９〜図１２に示す動作を終了する。
【０１０２】
制御部１８は、白天板への交換が指示されたとＳ１４７において判断すると、白天板に交換されたと判断するまで、図示していないセンサーの検知結果に基づいて白天板に交換されたか否かを判断する（Ｓ１４９）。
【０１０３】
制御部１８は、厚紙原稿フラグ１７ｆが立っていないとＳ１３１において判断するか、白天板に交換されたとＳ１４９において判断すると、色補正処理を行うための補正テーブルとして白天板用補正テーブル１７ａを設定する（Ｓ１６１）。
【０１０４】
次いで、裏写り発生判定手段１８ａは、裏写りが発生するか否かを示す裏写り発生フラグを倒す（Ｓ１６２）。
【０１０５】
次いで、裏写り発生判定手段１８ａは、全ての原稿に対する処理が終了するまで、原稿に対して１枚ずつ順番に、Ｓ１６４〜Ｓ１７５の処理を繰り返す（Ｓ１６３）。
【０１０６】
すなわち、まず、裏写り発生判定手段１８ａは、Ｓ１６１において設定された白天板用補正テーブル１７ａを使用して原稿の表面の画像を画像読取部によって読み取る（Ｓ１６４）。
【０１０７】
次いで、裏写り発生判定手段１８ａは、原稿の表面の画像における高濃度の画素を数えるための表面高濃度画素数を０にする（Ｓ１６５）。
【０１０８】
次いで、裏写り発生判定手段１８ａは、Ｓ１６４において読み取った表面の画像における全ての画素に対する処理が終了するまで、画素に対して１つずつ順番に、Ｓ１６７およびＳ１６８の処理を繰り返す（Ｓ１６６）。
【０１０９】
すなわち、まず、裏写り発生判定手段１８ａは、対象の画素の濃度値が裏写り判定用濃度閾値１７ｃ以下であるか否かを判断する（Ｓ１６７）。なお、濃度値の比較は、ＲＧＢ値をグレースケールに変換した後、グレースケールにおける濃度値の比較で実行される。また、濃度値は、値が小さいほど高濃度であることを示しており、例えば、最低が０（黒色）であり、最高が２５５（白色）である。
【０１１０】
裏写り発生判定手段１８ａは、対象の画素の濃度値が裏写り判定用濃度閾値１７ｃ以下であるとＳ１６７において判断すると、表面高濃度画素数を１増加させる（Ｓ１６８）。一方、裏写り発生判定手段１８ａは、対象の画素の濃度値が裏写り判定用濃度閾値１７ｃより大きいとＳ１６７において判断すると、表面高濃度画素数を変化させない。
【０１１１】
裏写り発生判定手段１８ａは、Ｓ１６４において読み取った表面の画像における全ての画素に対する処理が終了したとＳ１６６において判断すると、Ｓ１６１において設定された白天板用補正テーブル１７ａを使用して原稿の裏面の画像を画像読取部によって読み取る（Ｓ１６９）。
【０１１２】
次いで、裏写り発生判定手段１８ａは、原稿の裏面の画像における高濃度の画素を数えるための裏面高濃度画素数を０にする（Ｓ１７０）。
【０１１３】
次いで、裏写り発生判定手段１８ａは、Ｓ１６４において読み取った裏面の画像における全ての画素に対する処理が終了するまで、画素に対して１つずつ順番に、Ｓ１７２およびＳ１７３の処理を繰り返す（Ｓ１７１）。
【０１１４】
すなわち、まず、裏写り発生判定手段１８ａは、対象の画素の濃度値が裏写り判定用濃度閾値１７ｃ以下であるか否かを判断する（Ｓ１７２）。
【０１１５】
裏写り発生判定手段１８ａは、対象の画素の濃度値が裏写り判定用濃度閾値１７ｃ以下であるとＳ１７２において判断すると、裏面高濃度画素数を１増加させる（Ｓ１７３）。一方、裏写り発生判定手段１８ａは、対象の画素の濃度値が裏写り判定用濃度閾値１７ｃより大きいとＳ１７２において判断すると、裏面高濃度画素数を変化させない。
【０１１６】
裏写り発生判定手段１８ａは、Ｓ１６９において読み取った裏面の画像における全ての画素に対する処理が終了したとＳ１７１において判断すると、表面高濃度画素数および裏面高濃度画素数の少なくとも一方が裏写り判定用画素数閾値１７ｄ以上であるか否かを判断する（Ｓ１７４）。
【０１１７】
裏写り発生判定手段１８ａは、表面高濃度画素数および裏面高濃度画素数の少なくとも一方が裏写り判定用画素数閾値１７ｄ以上であるとＳ１７４において判断すると、裏写り発生フラグを立てる（Ｓ１７５）。一方、裏写り発生判定手段１８ａは、表面高濃度画素数および裏面高濃度画素数の何れも裏写り判定用画素数閾値１７ｄ未満であるとＳ１７４において判断すると、裏写り発生フラグを変化させない。
【０１１８】
ここで、ＭＦＰ１０における裏写りの発生の判定方法について具体的に説明する。
【０１１９】
図１６は、画像読取部によって読み取られる原稿の一例を示す図である。なお、図１６では、全部で４ページの原稿を例にしているが、何ページの原稿であっても良い。
【０１２０】
図１６に示すように、１ページ目の原稿２０１は、１枚目の原稿２００の表面２００ａである。２ページ目の原稿２０２は、１枚目の原稿２００の裏面２００ｂである。３ページ目の原稿２１１は、２枚目の原稿２１０の表面２１０ａである。４ページ目の原稿２１２は、２枚目の原稿２１０の裏面２１０ｂである。
【０１２１】
１ページ目の原稿２０１には、色の濃度が濃い画像２０１ａと、色の濃度が画像２０１ａより薄い画像２０１ｂと、色の濃度が画像２０１ｂより薄い画像２０１ｃと、色の濃度が画像２０１ｃより薄い画像２０１ｄとが含まれている。２ページ目の原稿２０２には、色の濃度が画像２０１ａより薄く画像２０１ｂより濃い画像２０２ａが含まれている。３ページ目の原稿２１１には、色の濃度が画像２０２ａより薄く画像２０１ｂより濃い画像２１１ａが含まれている。４ページ目の原稿２１２には、色の濃度が画像２０２ａより薄く画像２１１ａより濃い画像２１２ａと、色の濃度が画像２０２ａより薄く画像２１２ａより濃い画像２１２ｂとが含まれている。
【０１２２】
図１７は、図１６に示す原稿が画像読取部によって読み取られた画像を示す図である。
【０１２３】
図１７には、画像読取部によって読み取られた１ページ目の画像（以下「１ページ目画像」と言う。２ページ目以降についても同様である。）３０１と、２ページ目画像３０２と、３ページ目画像３１１と、４ページ目画像３１２とが示されている。
【０１２４】
図１６および図１７に示すように、１ページ目画像３０１には、１ページ目の原稿２０１の画像２０１ａ、２０１ｂ、２０１ｃ、２０１ｄがそれぞれ読み取られた画像３０１ａ、３０１ｂ、３０１ｃ、３０１ｄと、２ページ目の原稿２０２の画像２０２ａが裏写りした画像３０１ｅとが含まれている。２ページ目画像３０２には、２ページ目の原稿２０２の画像２０２ａが読み取られた画像３０２ａと、１ページ目の原稿２０１の画像２０１ａが裏写りした画像３０２ｂとが含まれている。３ページ目画像３１１には、３ページ目の原稿２１１の画像２１１ａが読み取られた画像３１１ａと、４ページ目の原稿２１２の画像２１２ａ、２１２ｂがそれぞれ裏写りした画像３１１ｂ、３１１ｃとが含まれている。４ページ目画像３１２には、４ページ目の原稿２１２の画像２１２ａ、２１２ｂがそれぞれ読み取られた画像３１２ａ、３１２ｂとが含まれている。
【０１２５】
原稿２００の表面側から画像読取部によって読み取られた画像３０１において特定の濃度以上の画素（画像３０１ａの画素）が存在するので、原稿２００の裏面側から画像読取部によって読み取られた画像３０２には、裏写り（画像３０２ｂ）が発生している。また、原稿２００の裏面側から画像読取部によって読み取られた画像３０２において特定の濃度以上の画素（画像３０２ａの画素）が存在するので、原稿２００の表面側から画像読取部によって読み取られた画像３０１には、裏写り（画像３０１ｅ）が発生している。また、原稿２１０の裏面側から画像読取部によって読み取られた画像３１２において特定の濃度以上の画素（画像３１２ａ、３１２ｂの画素）が存在するので、原稿２１０の表面側から画像読取部によって読み取られた画像３１１には、裏写り（画像３１１ｂ、３１１ｃ）が発生している。したがって、ＭＦＰ１０は、原稿の一面側から画像読取部によって読み取られた画像において特定の濃度以上の画素が存在する場合に、原稿の他面側から画像読取部によって読み取られた画像に裏写りが発生すると判定することができる。
【０１２６】
しかしながら、原稿２００の裏面側から画像読取部によって読み取られた画像３０２に発生している裏写り（画像３０２ｂ）は、小さいので、利用者にとってあまり気にならない程度の少しの裏写りである可能性がある。したがって、ＭＦＰ１０は、原稿の一面側から画像読取部によって読み取られた画像において特定の濃度以上の画素が特定の数以上存在する場合に、原稿の他面側から画像読取部によって読み取られた画像に裏写りが発生すると判定する。
【０１２７】
図９〜図１２に示すように、裏写り発生判定手段１８ａは、全ての原稿に対する処理が終了したとＳ１６３において判断すると、画像読取部によって読み取られた画像に裏写りが発生するか否かを判断する（Ｓ１７６）。ここで、裏写り発生判定手段１８ａは、裏写り発生フラグが立っている場合に裏写りが発生すると判定し、裏写り発生フラグが倒れている場合に裏写りが発生しないと判定する。
【０１２８】
制御部１８は、裏写りが発生しないとＳ１７６において判断されると、全ての原稿に対してＳ１６４およびＳ１６９の処理によって読み取った画像をプリンター１４によって記録媒体に印刷して（Ｓ１３０）、図９〜図１２に示す動作を終了する。
【０１２９】
黒天板交換通知手段１８ｃは、裏写りが発生するとＳ１７６において判断されると、図１８に示す黒天板交換通知画面７０を表示部１２に表示する（Ｓ１８１）。
【０１３０】
図１８は、表示部１２に表示される黒天板交換通知画面７０の一例を示す図である。
【０１３１】
図１８に示す黒天板交換通知画面７０は、裏写りが発生していることと、白天板のままの印刷の提案と、黒天板への交換の提案とを通知するメッセージ７１と、白天板のまま印刷を続行することをＭＦＰ１０に伝えるためのボタン７２と、黒天板に交換してジョブを実行することをＭＦＰ１０に伝えるためのボタン７３とを含む。黒天板交換通知画面７０は、ボタン７２またはボタン７３が押されると、表示部１２による表示が終了する。
【０１３２】
利用者は、黒天板交換通知画面７０のメッセージ７１を読むことによって、蓋１３ａに装着されている天板を白天板から黒天板に交換するか否かを判断することができる。
【０１３３】
図９〜図１２に示すように、制御部１８は、Ｓ１８１の処理の後、白天板のまま印刷を続行することが指示されたか否かを判断する（Ｓ１８２）。ここで、制御部１８は、黒天板交換通知画面７０においてボタン７２が押された場合、白天板のまま印刷を続行することが指示されたと判断する。
【０１３４】
制御部１８は、白天板のまま印刷を続行することが指示されたとＳ１８２において判断すると、全ての原稿に対してＳ１６４およびＳ１６９の処理によって読み取った画像をプリンター１４によって記録媒体に印刷して（Ｓ１３０）、図９〜図１２に示す動作を終了する。
【０１３５】
制御部１８は、白天板のまま印刷を続行することが指示されなかったとＳ１８２において判断すると、黒天板への交換が指示されたか否かを判断する（Ｓ１８３）。ここで、制御部１８は、黒天板交換通知画面７０においてボタン７３が押された場合、黒天板への交換が指示されたと判断する。
【０１３６】
制御部１８は、黒天板への交換が指示されていないとＳ１８３において判断すると、Ｓ１８２の処理を実行する。
【０１３７】
再読み取り手段１８ｄは、黒天板への交換が指示されたとＳ１８３において判断されると、画像読取部によって前回読み取られた画像、すなわち、全ての原稿に対してＳ１６４およびＳ１６９の処理によって読み取った画像を削除した後（Ｓ１８４）、Ｓ１２５〜Ｓ１３０の処理を実行して、図９〜図１２に示す動作を終了する。
【０１３８】
なお、以上においては、原稿の両面の画像を記録媒体の両面または片面に印刷するコピーのジョブについて説明したが、原稿の片面の画像を記録媒体の片面または両面に印刷するコピーのジョブについても同様である。ただし、原稿の片面、すなわち表面の画像を記録媒体の片面または両面に印刷するコピーのジョブの場合、原稿の表面のみを複写するので、原稿の裏面の複写のためのみの原稿の裏面の読み取りに関するＳ１２９の処理は不要であるし、原稿の裏面側から画像読取部によって読み取られた画像の裏写りの判定のためのみのＳ１６５〜Ｓ１６８の処理も不要である。
【０１３９】
また、以上においては、コピーのジョブの実行について説明したが、スキャンのジョブ、ファックスのジョブなど、スキャナー１３によって原稿から読み取った画像を処理する種々のジョブの実行についても同様である。
【０１４０】
以上に説明したように、ＭＦＰ１０は、原稿の一面側から画像読取部によって読み取られた画像において特定の濃度以上の画素、すなわち、原稿の他面側から観察した場合に原稿の他面側に透けて見えるほど高濃度の画素が存在する場合に（Ｓ１６７でＹＥＳまたはＳ１７２でＹＥＳ）、原稿の他面側から画像読取部によって読み取られた画像に裏写りが発生すると判定する（Ｓ１７６でＹＥＳ）。そして、ＭＦＰ１０は、白天板が画像読取部に対向して配置されている場合に（Ｓ１２１で白）、裏写りが発生すると判定したとき（Ｓ１７６でＹＥＳ）、黒天板への交換の提案を通知する（Ｓ１８１）。したがって、ＭＦＰ１０は、画像読取部によって読み取られる画像に裏写りが発生するか否かを利用者が原稿を見て判断する必要が無く、利便性を向上することができる。すなわち、利用者は、まず、蓋１３ａに白天板が装着されている状態で画像の読み取りを実行すれば良い。そして、利用者は、裏写りが発生するとＭＦＰ１０によって判定されて、黒天板への交換の提案がＭＦＰ１０によって通知されたときのみ、黒天板に交換して画像の読み取りを再び実行すれば良い。
【０１４１】
また、ＭＦＰ１０は、原稿の一面側から画像読取部によって読み取られた画像において特定の濃度以上の画素が特定の数以上存在する場合に（Ｓ１７４でＹＥＳ）、原稿の他面側から画像読取部によって読み取られた画像に裏写りが発生すると判定する。すなわち、ＭＦＰ１０は、原稿の一面側から画像読取部によって読み取られた画像において特定の濃度以上の画素が存在する場合（Ｓ１６７でＹＥＳまたはＳ１７２でＹＥＳ）であっても、特定の濃度以上の画素が特定の数未満であるときに（Ｓ１７４でＮＯ）、原稿の他面側から画像読取部によって読み取られた画像に裏写りが発生すると判定しない（Ｓ１７６でＮＯ）。したがって、ＭＦＰ１０は、利用者にとってあまり気にならない程度の少しの裏写りを問題とせず、利便性を向上することができる。
【０１４２】
ＭＦＰ１０は、裏写り判定用濃度閾値１７ｃおよび裏写り判定用画素数閾値１７ｄの指定を受け付けるので、画像読取部によって読み取られた画像に裏写りが発生するか否かの判定基準が利用者の好みに合わせて調整されることができる。
【０１４３】
ＭＦＰ１０は、黒天板に交換されて再び画像を読み取る（Ｓ１２５〜Ｓ１２９）前に、前回読み取った画像を削除する（Ｓ１８４）ので、原稿の読み取りに必要な記憶容量を低減することができる。
【０１４４】
ＭＦＰ１０は、白天板が画像読取部に対向して配置されている場合に（Ｓ１２１で白）、裏写りが発生する可能性が高い原稿、すなわち、裏紙原稿であることの指定が受け付けられているとき（Ｓ１２２でＹＥＳ）、黒天板への交換の提案を通知する（Ｓ１２３）ので、利便性を向上することができる。
【０１４５】
ＭＦＰ１０は、裏写りが発生する可能性が低い原稿、すなわち、厚紙原稿であることの指定が受け付けられている場合（Ｓ１３１でＹＥＳおよびＳ１４２でＹＥＳ）、黒天板が画像読取部に対向して配置されているときに（Ｓ１２１で黒）白天板への交換の提案を通知し（Ｓ１４３）、白天板が画像読取部に対向して配置されているときに（Ｓ１２１で白）裏写りが発生するか否かを判定しない。したがって、ＭＦＰ１０は、利便性を向上することができる。
【０１４６】
なお、本実施の形態においては、裏写りが発生する可能性が高い原稿として裏紙原稿が採用されているが、裏写りが発生する可能性が高い原稿として、裏紙原稿以外の種類の原稿が採用されても良い。また、本実施の形態においては、裏写りが発生する可能性が低い原稿として厚紙原稿が採用されているが、裏写りが発生する可能性が低い原稿として、厚紙原稿以外の種類の原稿が採用されても良い。
【０１４７】
また、本発明の画像形成装置は、本実施の形態において第１部材、第２部材をそれぞれ白天板、黒天板としているが、第２部材の色の濃度が第１部材より濃ければ、白天板、黒天板以外であっても良い。例えば、第２部材は、第１部材が白天板である場合に、グレーの天板、緑の天板または青の天板であっても良い。
【０１４８】
本発明の画像形成装置は、本実施の形態においてＭＦＰであるが、スキャナーを備えていれば、コピー専用機、スキャナー専用機、ファックス専用機など、ＭＦＰ以外の画像形成装置であっても良い。
【符号の説明】
【０１４９】
１０  ＭＦＰ（画像形成装置）
１３ｃ、１３ｄ  画像読取部
１３ｅ、１３ｆ  白天板（第１部材）
１３ｇ、１３ｈ  黒天板（第２部材）
１７ｃ  裏写り判定用濃度閾値（特定の濃度）
１７ｄ  裏写り判定用画素数閾値（特定の数）
１８ａ  裏写り発生判定手段
１８ｂ  白天板交換通知手段（第１部材交換通知手段）
１８ｃ  黒天板交換通知手段（第２部材交換通知手段）
１８ｄ  再読み取り手段
１８ｅ  濃度指定受付手段
１８ｆ  画素数指定受付手段
１８ｇ  裏紙原稿指定受付手段（裏写り高発生原稿指定受付手段）
１８ｈ  厚紙原稿指定受付手段（裏写り低発生原稿指定受付手段）
９０  原稿
２００、２０１、２０２  原稿
２１０、２１１、２１２  原稿
【図１】
2016034082.tif 000003
【図２】
2016034082.tif 000004
【図３】
2016034082.tif 000005
【図４】
2016034082.tif 000006
【図５】
2016034082.tif 000007
【図６】
2016034082.tif 000008
【図７】
2016034082.tif 000009
【図８】
2016034082.tif 000010
【図９】
2016034082.tif 000011
【図１０】
2016034082.tif 000012
【図１１】
2016034082.tif 000013
【図１２】
2016034082.tif 000014
【図１３】
2016034082.tif 000015
【図１４】
2016034082.tif 000016
【図１５】
2016034082.tif 000017
【図１８】
2016034082.tif 000018
【図１６】
2016034082.tif 000019
【図１７】
2016034082.tif 000020